(57)【要約】【課題】本発明は、戸閉中のドア装置が誤って再戸開されるのを防止することができ、エレベータの稼動効率を向上させることができるエレベータの乗場ボタン装置を得ることを目的とするものである。【解決手段】表示部３を有する呼びボタン部１を用い、表示部３は、かごの呼び登録をするための呼び表示モードと、戸閉中のドア装置を再戸開させるための再戸開表示モードとを含む複数の表示モードに切換可能とした。制御部５は、通常は表示モードを呼び表示モードとし、ドア装置の戸閉中には、表示モードを再戸開表示モードとする。【選択図】        図１
2004224474.tif 000002
【特許請求の範囲】
【請求項１】
乗場に設けられ、かつ表示部を有する呼びボタン部を備え、上記表示部は、かごの呼び登録をするための呼び表示モードと、戸閉中のドア装置を再戸開させるための再戸開表示モードとを含む複数の表示モードに切換可能になっていることを特徴とするエレベータの乗場ボタン装置。
【請求項２】
上記表示部の上記表示モードを切り換える制御部をさらに備え、上記制御部は、通常は上記表示モードを上記呼び表示モードとし、上記ドア装置の戸閉中には、上記表示モードを上記再戸開表示モードとすることを特徴とする請求項１記載のエレベータの乗場ボタン装置。
【発明の詳細な説明】
【０００１】
【発明の属する技術分野】
この発明は、乗場に設けられ、かごを呼ぶために操作されるエレベータの乗場ボタン装置に関するものである。
【０００２】
【従来の技術】
一般に、エレベータの乗場には、かごを呼ぶための乗場ボタン装置の呼びボタン部が設けられている。呼びボタン部を操作することにより、制御装置に呼びが登録され、登録された乗場階にかごが移動される。また、戸閉中に呼びボタン部が操作された場合、ドア装置が反転動作される。これにより、閉じかけた乗場の戸及びかごの戸が再戸開され、利用者がかごに乗ることができる（例えば、特許文献１参照）。
【０００３】
【特許文献１】
特開平８−５９１１０号公報
【０００４】
【発明が解決しようとする課題】
上記のように構成された従来の乗場ボタン装置においては、共通の呼びボタン部が呼び登録及び再戸開の２つの機能を有しており、これらの機能の切り換えのタイミングが利用者には分かり難いため、例えば多人数の利用者が乗場階に待っている場合などには、かごに定員の乗客が乗っているにも拘わらず、ドア装置が完全戸閉する直前に呼びボタン部が誤って操作され、不必要に再戸開されてしまうことがあり、かごがスムーズに出発できず、エレベータの稼動効率の低下を招いていた。
【０００５】
この発明は、上記のような問題点を解決することを課題としてなされたものであり、戸閉中のドア装置が誤って再戸開されるのを防止することができ、エレベータの稼動効率を向上させることができるエレベータの乗場ボタン装置を得ることを目的とする。
【０００６】
【課題を解決するための手段】
この発明に係るエレベータの乗場ボタン装置は、乗場に設けられ、かつ表示部を有する呼びボタン部を備え、表示部は、かごの呼び登録をするための呼び表示モードと、戸閉中のドア装置を再戸開させるための再戸開表示モードとを含む複数の表示モードに切換可能になっているものである。
また、表示部の表示モードを切り換える制御部をさらに備え、制御部は、通常は表示モードを呼び表示モードとし、ドア装置の戸閉中には、表示モードを再戸開表示モードとする。
【０００７】
【発明の実施の形態】
以下、この発明の実施の形態を図について説明する。
図１はこの発明の実施の形態の一例によるエレベータの乗場ボタン装置を示す構成図である。図において、乗場には、呼びボタン部１が設けられている。呼びボタン部１は、タッチボタンである操作部２を有している。操作部２の表面には、表示部３が設けられている。表示部３としては、例えば液晶画面が用いられる。
【０００８】
表示部３は、かごの呼び登録をするための呼び表示モードと、戸閉中のドア装置を再戸開させるための再戸開表示モードとの２つの表示モードに切換可能になっている。呼び表示モードでは、例えば図２に示すように、かごの呼びをイメージした画像が表示部３に表示される。また、再戸開表示モードでは、例えば図３に示すように、再戸開をイメージした画像が表示部３に表示される。
【０００９】
呼びボタン部１は、伝送線４を介して制御部としての制御盤５に接続されている。呼びボタン部１の機能及び表示部３の表示モードは、制御盤５により切り換えられる。即ち、通常は、呼びボタン部１の機能は呼びの登録であり、表示モードは呼び表示モードとされる。また、ドア装置の戸閉中には、呼びボタン部１の機能は再戸開であり、表示モードは再戸開表示モードとされる。
【００１０】
制御盤５には、完全戸閉を検出する戸締検出スイッチ（図示せず）が接続されている。この戸締検出スイッチからの完全戸閉検出信号が入力されると、制御盤５により表示モードが再戸開表示モードから呼び表示モードに切り換えられる。
【００１１】
このような乗場ボタン装置では、かごの呼び登録をするための呼び表示モードと、戸閉中のドア装置を再戸開させるための再戸開表示モードとの間で表示部３の表示モードが切換可能であるため、呼びボタン部１の機能の切換のタイミングをより正確に把握することができる。このため、戸閉中のドア装置が誤って再戸開されるのを防止することができ、エレベータをスムーズに運転することができ、エレベータの稼動効率を向上させることができる。
【００１２】
また、制御部は、通常は表示モードを呼び表示モードとし、ドア装置の戸閉中には、表示モードを再戸開表示モードとするので、呼びボタン部１の機能の切換のタイミングをより確実に利用者に知らせることができる。
さらに、表示部３を操作部２に設けたので、呼びボタン部１の機能をより確実に利用者に知らせることができる。
【００１３】
なお、上記の例では、２つのモード間で表示部３の表示モードを切り換えたが、さらに別の表示モードを加え、３つ以上のモード間で切り換えてもよい。別の表示モードとしては、例えばかご待ち時間表示モード、警告表示モード、及びエレベータが運転を休止していることを知らせる休止中表示モード等が挙げられる。
また、上記の例では、操作部２に表示部３を設けたが、操作部とは別に表示部を設けてもよく、操作部２の近傍であれば操作部２の機能の切換タイミングを利用者に知らせることができる。
さらに、上記の例ではエレベータの運転を制御する制御盤により表示モードの制御も行うようにしたが、制御盤とは別に表示モードのための制御部を設けてもよい。
【００１４】
【発明の効果】
以上説明したように、この発明のエレベータの乗場ボタン装置は、表示部を有する呼びボタン部を用い、表示部は、かごの呼び登録をするための呼び表示モードと、戸閉中のドア装置を再戸開させるための再戸開表示モードとを含む複数の表示モードに切換可能になっているので、戸閉中のドア装置が誤って再戸開されるのを防止することができ、エレベータの稼動効率を向上させることができる。
【図面の簡単な説明】
【図１】この発明の実施の形態の一例によるエレベータの乗場ボタン装置を示す構成図である。
【図２】図１の表示部の呼び表示モードでの表示状態の一例を示す正面図である。
【図３】図１の表示部の再戸開表示モードでの表示状態の一例を示す正面図である。
【符号の説明】
１  呼びボタン部、３  表示部、５  制御盤（制御部）。
【図１】
2004224474.tif 000003
【図２】
2004224474.tif 000004
【図３】
2004224474.tif 000005